【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
パケット交換ネットワークへのネットワーク接続をサポートするために、無線通信装置からパケットデータセッションを確立し、
前記ネットワーク接続がアクティブである期間に、回線交換ネットワークからの着呼の通知を前記無線通信装置で受信する、
ことを備える、無線通信の方法。
【請求項２】
前記通知を、前記パケットデータセッションを介して前記無線通信装置で受信する、
ことを更に備える、請求項１記載の方法。
【請求項３】
前記通知を受信するために、前記無線通信装置から音声メッセージサーバに前記パケットデータセッションを介して登録する、
ことを更に備える、請求項２記載の方法。
【請求項４】
前記登録は、前記無線通信装置から前記音声メッセージサーバにセッション鍵を使用して通信する、
ことを備える、請求項３記載の方法。
【請求項５】
前記登録は、前記無線通信装置から前記音声メッセージサーバに伝送制御プロトコルセッションを介して通信する、
ことを備える、請求項３記載の方法。
【請求項６】
前記パケットデータセッションを前記着呼の前記通知に応じて終了し、前記回線交換ネットワークからの前記着呼を受け付ける、
ことを更に備える、請求項１記載の方法。
【請求項７】
前記着呼の前記受け付けは、前記着呼をサポートするためにモバイル交換センタとの接続を確立する、
ことを備える、請求項６記載の方法。
【請求項８】
音声メッセージサーバから前記通知を前記無線通信装置で受信する、
ことを更に備える、請求項１記載の方法。
【請求項９】
前記無線通信装置から前記音声メッセージサーバへ前記通知に応じて応答を送信する、
ことを更に備える、請求項８記載の方法。
【請求項１０】
前記応答は、前記パケットデータセッションを介して送信される、請求項９記載の方法。
【請求項１１】
前記パケットデータセッションを前記通知に応じて終了し、前記着呼をサポートするためにモバイル交換センタとの接続を確立する、
ことを更に備える、請求項８記載の方法。
【請求項１２】
パケット交換ネットワークへのネットワーク接続をサポートするためにパケットデータセッションを確立し、前記ネットワーク接続がアクティブである期間に、回線交換ネットワークからの着呼の通知を受信するように構成されたプロセッサ、
を備える、無線通信装置。
【請求項１３】
前記プロセッサは更に、前記通知を前記パケットデータセッションを介して受信するように構成された、請求項１２記載の無線通信装置。
【請求項１４】
前記プロセッサは更に、前記通知を受信するために、音声メッセージサーバに前記パケットデータセッションを介して登録するように構成された、請求項１３記載の無線通信装置。
【請求項１５】
前記プロセッサは更に、前記音声メッセージサーバにセッション鍵を用いて登録するように構成された、請求項１４記載の無線通信装置。
【請求項１６】
前記プロセッサは更に、前記音声メッセージサーバに伝送制御プロトコルセッションを介して登録するように構成された、請求項１４記載の無線通信装置。
【請求項１７】
前記プロセッサは更に、前記パケットデータセッションを前記通知に応じて終了し、前記回線交換ネットワークからの前記着呼を受け付けるように構成された、請求項１２記載の無線通信装置。
【請求項１８】
前記プロセッサは更に、前記着呼をサポートするためにモバイル交換センタと接続を確立することによって、前記着呼を受け付けるように構成された、請求項１７記載の無線通信装置。
【請求項１９】
前記プロセッサは更に、前記通知を音声メッセージサーバから受信するように構成された、請求項１２記載の無線通信装置。
【請求項２０】
前記プロセッサは更に、前記通知に応じて前記音声メッセージサーバに応答を送信するように構成された、請求項１９記載の無線通信装置。
【請求項２１】
前記プロセッサは更に、前記応答を前記パケットデータセッションを介して送信するように構成された、請求項２０記載の無線通信装置。
【請求項２２】
前記プロセッサは更に、前記パケットデータセッションを前記通知に応じて終了し、前記着呼をサポートするためにモバイル交換センタとの接続を確立するように構成された、請求項１２記載の無線通信装置。
【請求項２３】
パケット交換ネットワークへのネットワーク接続をサポートするためにパケットデータセッションを確立する手段と、
前記ネットワーク接続がアクティブである期間に、回線交換ネットワークからの着呼の通知を受信する手段と、
を備えた、無線通信装置。
【請求項２４】
パケット交換ネットワークとのネットワーク接続をサポートするためにパケットデータサービングノードと無線通信装置との間のパケットデータセッションを確立し、
前記ネットワーク接続がアクティブである期間に、着信する回線交換呼の通知を音声メッセージサーバから前記無線通信装置にルーティングする、
ことを備える、無線通信の方法。
【請求項２５】
前記通知は、前記無線通信装置と前記パケットデータサービングノードとの間の前記パケットデータセッションを介して送信される、請求項２４記載の方法。
【請求項２６】
前記通知を受信するために前記通信装置を前記音声メッセージサーバに登録することを更に備え、前記無線通信装置の前記登録は、前記無線通信装置と前記パケットデータサービングノードとの間の前記パケットデータセッションで発生する、
請求項２５記載の方法。
【請求項２７】
前記無線通信装置と前記パケットデータサービングノードとの間の前記パケットデータセッションを前記通知に応じて終了し、前記着呼をサポートするためにモバイル交換センタと前記無線通信装置との間に接続を確立する、
ことを更に備える、請求項２４記載の方法。
【請求項２８】
前記ネットワーク接続がアクティブである期間に、前記着呼をモバイル交換センタで受信し、前記無線通信装置が利用できないことを示す信号を前記モバイル交換センタから前記音声メッセージサーバにルーティングすることを更に備え、前記音声メッセージサーバでの前記信号の前記受信は、前記通知の前記音声メッセージサーバから前記無線通信装置への前記ルーティングを促し、前記方法は更に、前記無線通信装置からの応答を前記音声メッセージサーバへルーティングし、前記応答に応じて、前記着呼を前記無線通信装置に配信するように前記音声メッセージサーバから前記モバイル交換センタに合図することを備える、
請求項２４記載の方法。
【請求項２９】
無線通信装置をサービス中のネットワークで動作させ、前記無線通信装置は前記サービス中のネットワークとは異なるホームネットワークに割当てられており、
パケット交換ネットワークとのネットワーク接続をサポートするために前記サービス中のネットワークのパケットデータサービングノードと前記無線通信装置との間にパケットデータセッションを確立し、
前記ネットワーク接続がアクティブである期間に、前記ホームネットワークの音声メッセージサーバからの、着信する回線交換呼の通知を、前記無線通信装置にルーティングする、
ことを備える、通信の方法。
【請求項３０】
前記通知は、前記サービス中のネットワークのパケットデータサービングノードと前記無線通信装置との間のパケットデータセッションを介してルーティングされる、請求項２９記載の方法。
【請求項３１】
前記通知を受信するために前記ホームネットワークの前記音声メッセージサーバに前記無線通信装置を登録することを更に備え、前記無線装置の前記登録は、前記サービス中のネットワークの前記パケットデータサービングノードと前記無線通信装置との間の前記パケットデータセッションで発生する、
請求項３０記載の方法。
【請求項３２】
前記サービス中のネットワークの前記パケットデータサービングノードと前記無線通信装置との間の前記パケットデータセッションを前記通知に応じて終了し、前記着呼をサポートするために前記サービス中のネットワークのモバイル交換センタと前記無線通信装置との間の接続を確立する、
ことを更に備える、請求項２９記載の方法。
【請求項３３】
前記ネットワーク接続がアクティブである期間に、前記ホームネットワークのモバイル交換センタで前記着呼を受信し、前記無線通信装置が利用できないことを示す信号を前記ホームネットワークの前記モバイル交換センタから前記ホームネットワークの前記音声メッセージサーバにルーティングし、前記ホームネットワークの前記音声メッセージサーバにおける前記信号の前記受信は、前記着呼の前記通知の、前記ホームネットワークの前記音声メッセージサーバから前記無線通信装置へのルーティングを促し、前記方法は更に、前記無線通信装置からの応答を前記ホームネットワークの前記音声メッセージサーバにルーティングし、前記応答に応じて、前記着呼を前記無線通信装置に配信するために前記サービス中のネットワークの前記モバイル交換センタに前記サービス中のネットワーク前記音声メッセージサーバから合図する、
ことを備える、請求項２９記載の方法。
【手続補正２】
【補正対象書類名】明細書
【補正対象項目名】００３７
【補正方法】変更
【補正の内容】
【００３７】
一旦、加入者局１０２がサービス中のＭＳＣ１０８ｂに登録されると、それは、まずサービス中のＲＡＮ１０６ｂと無線リンクを確立することで、パケット交換ネットワーク１１２にアクセスし得る。サービス中のＲＡＮ１０６ｂとサービス中のＰＤＳＮ１１４ｂとの間の論理的なリソース接続が確立されてもよい。ＰＰＰリンクレイヤプロトコルに従って、データリンクが加入者局１０２とサービス中のＰＤＳＮ１１４ｂとの間にセットアップされてもよい。次に、ＰＰＰリンクレイヤプロトコルは、加入者局１０２に割当てるためのインターネットプロトコル（ＩＰ）アドレスを協議するのに用いられてもよい。一旦、ＩＰアドレスが割当てられると、加入者局１０２はパケット交換ネットワーク１１２とネットワーク接続で通信し得る。
【手続補正３】
【補正対象書類名】明細書
【補正対象項目名】００４４
【補正方法】変更
【補正の内容】
【００４４】
図３に示す実施形態において、通知メッセージは、サービス中のネットワーク３０２ａ中のパケットデータセッションで加入者局１０２に配信され得る。この場合、ホームＶＭＳ１１０ａは加入者局の電話番号を使用して、それが、回線交換呼をアクティブなネットワーク接続でのパケットデータセッション中に受信するように登録されているかどうかを決定し得る。電話番号が登録されていない場合、ホームＭＳＣ１０８ａは呼をホームＶＭＳ１１０ａに再ルーティングして、従来の仕方で処理されるようにしてもよい。逆に、電話番号が登録されている場合、ホームＶＭＳ１１０ａは、回線交換呼の通知メッセージをセッション鍵を用いて暗号化し、暗号化された通知メッセージを加入者局１０２に登録期間に確立されたＴＣＰセッションで配信するのに使用されてもよい。加入者局のＩＰアドレスは、それがサービス中のＰＤＳＮ１１４ｂにルーティングされ、加入者局１０２に既存のパケットデータセッションで配信されるように、ホームＶＭＳ１１０ａによって通知メッセージに付加されてもよい。